【手続補正書】
【提出日】平成27年10月6日(2015.10.6)
【手続補正１】
【補正対象書類名】明細書
【補正対象項目名】０２９１
【補正方法】変更
【補正の内容】
【０２９１】
上述の実施例、値、および方法手順は、例示のみを目的とし、制限的に解釈されるべきではない。
次に、本発明の好ましい態様を示す。
１．  少なくとも１つの天然トリグリセリドと、トリグリセリドと異なる少なくとも１つの脂肪酸エステルとの混合物を含んでなり、前記脂肪酸エステルの脂肪酸が、少なくとも１つの植物油または別の同等の天然資源から誘導され、
（ｉ）前記少なくとも１つの天然トリグリセリド中、および前記トリグリセリドと異なる少なくとも１つの脂肪酸エステル中に存在する前記脂肪酸が、前記エステル中の脂肪酸総重量に対する重量基準で、
−少なくとも７０％、好ましくは８５％を超える、少なくとも１つの一不飽和脂肪酸、
−０〜１０％未満の少なくとも１つの多価不飽和脂肪酸、
−１８と異なる数の炭素原子を含有する炭化水素鎖を有する、２０％未満、好ましくは１０％未満の少なくとも１つの脂肪酸
を含んでなり、
（ｉｉ）前記混合物中に存在する前記少なくとも１つの天然トリグリセリドが、前記混合物総重量に対して１０〜９０重量％、好ましくは４０〜７５％重量に相当する、誘電組成物として使用されてもよい液体組成物。
２．  トリグリセリドと異なる少なくとも１つの脂肪酸エステルが、天然トリグリセリドをアルコールで少なくとも１つの脂肪酸エステルに変換することによって、少なくとも１つの天然トリグリセリドから誘導され、前記アルコールがグリセロールと異なる、上記１に記載の組成物。
３．  前記トリグリセリドと異なる少なくとも１つの脂肪酸エステルが、本質的にモノ脂肪酸エステルである、上記１に記載の組成物。
４．  前記モノ脂肪酸エステルが、２−エチル−１−ヘキサノールの脂肪酸エステルである、上記３に記載の組成物。
５．  前記少なくとも１つの天然トリグリセリド中、および前記トリグリセリドと異なる少なくとも１つの脂肪酸エステル中に存在する脂肪酸が、前記エステル中の脂肪酸総重量に対して、０．０１〜１０重量％未満の少なくとも１つの多価不飽和脂肪酸を含んでなる、上記１〜４のいずれか一項に記載の組成物。
６．  前記組成物中に含有される前記脂肪酸エステルの混合物が、
−１０〜９０体積％の植物油または別の同等の天然資源であって、前記油または別の同等の天然資源の脂肪酸エステルの総重量に対する重量基準で、
−分子中に１２〜１４個の炭素原子を有する、少なくとも７０％の少なくとも１つの一不飽和脂肪酸；
−分子中に１２〜２４個の炭素原子を有する、１０％未満の少なくとも１つの二不飽和脂肪酸；
−分子中に１２〜２４個の炭素原子を有する、最大５％の少なくとも１つの三不飽和脂肪酸であって、前記少なくとも１つの二不飽和脂肪酸と前記少なくとも１つの三不飽和脂肪酸との総含量が重量基準で１０％未満である、三不飽和脂肪酸；および
−１８個を超える炭素原子を有する５％未満の脂肪酸
の脂肪酸組成を有する植物油または別の同等の天然資源と、
−９０〜１０体積％の前記植物油または同等の天然資源と
を含んでなり、前記植物油または同等の天然資源を形成する前記脂肪酸のトリグリセリドが、得られる組成物が、−１０℃よりも低い流動点と１８０℃よりも高い燃焼点を有するように、トリグリセリドと異なる脂肪酸エステルに変換されている、上記１〜５のいずれか一項に記載の組成物。
７．  前記少なくとも１つの植物油または別の同等の天然資源（非改質油）と、前記トリグリセリドと異なる少なくとも１つの脂肪酸エステル（改質油）との体積比が、９０：１０、７５：２５〜４０：６０、特に３５：６５〜５０：５０である、上記１〜６のいずれか一項に記載の組成物。
８．  前記植物油が、７０重量％以上、好ましくは７５重量％以上の分子中に、１２〜２４個の炭素原子を有する一価不飽和脂肪酸含有量を有する、ＵＨＯキャノーラ油、またはＨＯヒマワリ油、またはＨＯ大豆油またはパーム油画分である、上記１〜７のいずれか一項に記載の組成物。
９．  電気エネルギーを生成し、貯蔵し、変換および／または配分するための装置内における、電気絶縁および熱伝達液体としての、上記１〜８のいずれか一項に記載の組成物の使用。
１０．  電気エネルギーを生成し、貯蔵し、変換および／または配分するための装置内における、電気絶縁および熱伝達液体としての、ＵＨＯキャノーラ油の使用。
１１．  電気絶縁液体冷却剤として、上記１〜８のいずれか一項に記載の組成物を含んでなる、電気エネルギーを生成し、貯蔵し、変換および／または配分するための装置。
１２．  電気絶縁液体冷却剤として、ＵＨＯキャノーラ油を含んでなる、電気エネルギーを生成し、貯蔵し、変換および／または配分するための装置。
１３．  （ａ）非脱ぷ種子全体を予熱するステップと；
（ｂ）均質層を形成するために、油料種をそれらの穀皮と共に圧偏するステップと；
（ｃ）０．０５〜２．５％、好ましくは０．５％〜１．５％の水および揮発性物質含有量を得るように、前記圧偏種子を乾燥するステップと；
（ｄ）触媒存在下で、前記圧偏乾燥種子とアルコール媒質とを接触させることで、エステル交換および／または共エステル交換するステップと；
（ｅ）エステル交換から生じる液相および固相を分離するステップと；
（ｆ）ステップｅ）から生じる前記液相を中和するステップと；
（ｇ）前記アルコールを除去して、脂肪酸エステルからグリセリンを分離するステップと
を含んでなり、少なくともステップ（ａ）および（ｃ）が、マイクロ波によって実施される、油料種子全体またはその他の同等の構成要素から調製される、誘電組成物として使用するための脂肪酸エステルを調製する方法。
１４．  別のステップ（ｂ）および（ｄ）〜（ｇ）が、マイクロ波補助の下で実施される、上記１３に記載の方法。
１５．  ステップｄ）のエステル交換および／または共エステル交換における前記触媒が、酵素および／または塩基および／または酸、および／または固体、および／または液体である、上記１３または１４に記載の方法。
１６．  前記触媒が非固定化酵素である、上記１３または１４に記載の方法。
【手続補正２】
【補正対象書類名】特許請求の範囲
【補正対象項目名】全文
【補正方法】変更
【補正の内容】
【特許請求の範囲】
【請求項１】
少なくとも１つの天然トリグリセリドと、トリグリセリドと異なる少なくとも１つの脂肪酸エステルとの混合物を含んでなり、前記脂肪酸エステルの脂肪酸が、少なくとも１つの植物油または別の同等の天然資源から誘導され、
（ｉ）前記少なくとも１つの天然トリグリセリド中、および前記トリグリセリドと異なる少なくとも１つの脂肪酸エステル中に存在する前記脂肪酸が、前記エステル中の脂肪酸総重量に対する重量基準で、
−少なくとも７０％、好ましくは８５％を超える、少なくとも１つの一不飽和脂肪酸、
−０〜１０％未満の少なくとも１つの多価不飽和脂肪酸、
−１８と異なる数の炭素原子を含有する炭化水素鎖を有する、２０％未満、好ましくは１０％未満の少なくとも１つの脂肪酸
を含んでなり、
（ｉｉ）前記混合物中に存在する前記少なくとも１つの天然トリグリセリドが、前記混合物総重量に対して１０〜９０重量％、好ましくは４０〜７５％重量に相当する、誘電組成物として使用されてもよい液体組成物。
【請求項２】
電気エネルギーを生成し、貯蔵し、変換および／または配分するための装置内における、電気絶縁および熱伝達液体としての、ＵＨＯキャノーラ油の使用。
【請求項３】
電気絶縁液体冷却剤として、請求項１に記載の組成物を含んでなる、電気エネルギーを生成し、貯蔵し、変換および／または配分するための装置。
【請求項４】
電気絶縁液体冷却剤として、ＵＨＯキャノーラ油を含んでなる、電気エネルギーを生成し、貯蔵し、変換および／または配分するための装置。
【請求項５】
（ａ）非脱ぷ種子全体を予熱するステップと；
（ｂ）均質層を形成するために、油料種をそれらの穀皮と共に圧偏するステップと；
（ｃ）０．０５〜２．５％、好ましくは０．５％〜１．５％の水および揮発性物質含有量を得るように、前記圧偏種子を乾燥するステップと；
（ｄ）触媒存在下で、前記圧偏乾燥種子とアルコール媒質とを接触させることで、エステル交換および／または共エステル交換するステップと；
（ｅ）エステル交換から生じる液相および固相を分離するステップと；
（ｆ）ステップｅ）から生じる前記液相を中和するステップと；
（ｇ）前記アルコールを除去して、脂肪酸エステルからグリセリンを分離するステップと
を含んでなり、少なくともステップ（ａ）および（ｃ）が、マイクロ波によって実施される、油料種子全体またはその他の同等の構成要素から調製される、誘電組成物として使用するための脂肪酸エステルを調製する方法。